(57)【要約】  カメラモジュール（１０）及びその組立方法が提供される。カメラモジュール（１０）は、レンズ（１００）と、レンズベース（２００）と、センサアセンブリ（３００）と、レンズ（１００）、レンズベース（２００）及びセンサアセンブリ（３００）を固定するための緩み止めネジとを含み、レンズベース（２００）には、レンズ（１００）を取り付けるためのレンズ取付孔、緩み止めネジを取り付けるためのネジ孔が形成され、レンズ取付孔は、レンズベース（２００）の第１表面（２０７）と第２表面（２０８）を貫通し、レンズベース（２００）は、順に第１表面（２０７）に沿って第２表面（２０８）の方向に向かって設けられる支持台（２０３）、位置決め案内筒（２０４）及び雌ネジ（２０５）を含み、支持台（２０３）は、第１表面（２０７）から第２表面（２０８）に向かって凹んで形成され、レンズ（１００）は、雌ネジ（２０５）に螺合される雄ネジ（１０３）、位置決め案内筒（２０４）に適合される位置決め案内段差（１０２）、支持台（２０３）に適合される位置規制リング（１０１）を含み、センサアセンブリ（３００）は第２表面（２０８）に密接する。【選択図】図１
2021536042.tif 000002
【特許請求の範囲】
【請求項１】
レンズベース、レンズ、センサアセンブリ及び緩み止めネジを含むカメラモジュールであって、
前記レンズベースは、互いに対向する第１表面と第２表面を含み、前記レンズベースは、レンズ取付孔を構成する内周壁をさらに含み、前記レンズ取付孔は、前記第１表面から前記第２表面まで貫通し、前記レンズ取付孔は、前記レンズを取り付けるために用いられ、前記レンズベースには、前記緩み止めネジを取り付けるためのネジ孔が形成され、前記レンズベースは、支持台、位置決め案内筒及び雌ネジをさらに含み、前記支持台、前記位置決め案内筒及び前記雌ネジは、前記内周壁に形成されるとともに、順に前記第１表面に沿って前記第２表面の方向に向かって設けられ、前記支持台は、前記第１表面から前記第２表面に向かって凹んで形成され、
前記レンズは、外周壁、雄ネジ、位置決め案内段差及び位置規制リングを含み、前記雄ネジ、前記位置決め案内段差及び前記位置規制リングは、いずれも前記外周壁に設けられ、前記雄ネジは前記雌ネジに螺合され、前記位置決め案内段差は、前記位置決め案内筒に取り付けられ、前記位置規制リングは、前記支持台に取り付けられ、
前記センサアセンブリは、前記第２表面に密接して取り付けられ、
前記緩み止めネジは、前記レンズを前記レンズベースに固定して取り付け、前記レンズベースと前記センサアセンブリを固定するためのものであることを特徴とする、カメラモジュール。
【請求項２】
前記レンズベースは、環状ボスをさらに含み、前記環状ボスは、前記位置決め案内筒に接続され、前記レンズ取付孔の一部を構成し、前記雌ネジは、前記環状ボスに設けられることを特徴とする請求項１に記載のカメラモジュール。
【請求項３】
前記位置決め案内段差と前記位置決め案内筒とは過渡的に嵌合されることを特徴とする請求項１に記載のカメラモジュール。
【請求項４】
前記雄ネジと前記雌ネジとは隙間嵌めされることを特徴とする請求項１に記載のカメラモジュール。
【請求項５】
前記レンズベースは、完成品設備との組立に使用される位置決め柱をさらに含むことを特徴とする請求項１に記載のカメラモジュール。
【請求項６】
前記緩み止めネジは、第１緩み止めネジ及び第２緩み止めネジを含み、前記第１緩み止めネジは、前記レンズと前記レンズベースを固定するために用いられ、前記第２緩み止めネジは、前記レンズベースと前記センサアセンブリを固定するために用いられることを特徴とする請求項１に記載のカメラモジュール。
【請求項７】
前記位置規制リングは、第３表面及び第４表面を含み、前記第３表面は、前記支持台に当接し、前記第４表面と前記第３は背向し、前記第１緩み止めネジは、少なくとも２つ設けられ、少なくとも２つの前記第１緩み止めネジは、前記レンズ取付孔の周りに設けられ、前記第１緩み止めネジと前記レンズベースのネジ孔は螺合して固定され、前記第１緩み止めネジは前記第４表面に押圧して当接することを特徴とする請求項６に記載のカメラモジュール。
【請求項８】
前記第２緩み止めネジは、少なくとも１つ設けられ、前記第２緩み止めネジは、前記センサアセンブリを通過して前記レンズベースのネジ孔に螺合して固定されることを特徴とする請求項６に記載のカメラモジュール。
【請求項９】
前記第２緩み止めネジと前記センサアセンブリとの間に接着媒体が充填されて弾性接続が形成されることを特徴とする請求項６に記載のカメラモジュール。
【請求項１０】
前記接着媒体は、ＡＡ接着剤、熱硬化性接着剤、エポキシ樹脂接着剤、感圧接着剤、光硬化性接着剤のうちの１種又は複数種の組み合わせであることを特徴とする請求項９に記載のカメラモジュール。
【請求項１１】
以下のステップ（１）−（８）を含むカメラモジュールの組立方法であって、
（１）レンズベースを提供し、前記レンズベースは、互いに背向する第１表面と第２表面を含み、前記レンズベースは、レンズ取付孔を構成する内周壁をさらに含み、前記レンズ取付孔は、前記第１表面から前記第２表面まで貫通し、前記レンズベースにはネジ孔が形成され、前記レンズベースは、支持台、位置決め案内筒及び雌ネジをさらに含み、前記支持台、前記位置決め案内筒及び前記雌ネジは、前記内周壁に形成されるとともに、順に前記第１表面に沿って前記第２表面の方向に向かって設けられ、前記支持台は、前記第１表面から前記第２表面に向かって凹んで形成され、
（２）レンズを提供し、前記レンズは、外周壁、雄ネジ、位置決め案内段差及び位置規制リングを含み、前記雄ネジ、前記位置決め案内段差及び前記位置規制リングは、いずれも前記外周壁に設けられ、前記位置決め案内段差は、前記雄ネジと前記位置規制リングとの間に位置し、前記位置規制リングは、第３表面及び第４表面を含み、前記第３表面は、前記位置決め案内段差に向かい、前記第４表面と背向し、
（３）前記レンズを前記位置決め案内筒を通して前記レンズ取付孔にねじ込み、前記雄ネジと前記雌ネジとを螺合して締め付け、前記位置規制リングの前記第３表面が前記支持台に当接すると、前記レンズと前記レンズベースは軸方向において締め付けられ、
（４）第１緩み止めネジを提供し、前記第１緩み止めネジを前記レンズベースの前記ネジ孔内にねじ込み、前記第１緩み止めネジが前記位置規制リングの前記第４表面に押圧して当接すると、前記レンズと前記レンズベースとは固定して接続され、
（５）イメージセンサ及び回路基板を提供し、前記イメージセンサを前記回路基板の表面に密接して取り付け、センサアセンブリの組立を実現し、
（６）前記イメージセンサが前記レンズ取付孔に収容されるように、前記センサアセンブリを前記レンズベースの前記第２表面に設け、接着剤を充填し、前記センサアセンブリの位置を調整し、前記レンズの焦点と前記イメージセンサの中心とを一致させ、前記レンズの光軸と前記イメージセンサの中心法線とを一致させ、
（７）前記レンズベースと前記センサアセンブリとの間の前記接着剤をベークして硬化させ、
（８）第２緩み止めネジを提供し、前記第２緩み止めネジを前記センサアセンブリに通過させ、前記レンズベースの前記ネジ孔内にねじ込み、前記第２緩み止めネジと前記センサアセンブリとの間に接着媒体を充填して弾性接続を形成し、前記第２緩み止めネジにより前記センサアセンブリを前記レンズベースにロックし、前記カメラモジュールの組立を完成させる、ことを特徴とする組立方法。
【発明の詳細な説明】
【技術分野】
【０００１】
関連出願
出願は、２０１９年７月２９日に中国国家知識産権局に提出された特許出願２０１９１０６９０８６０．５（発明の名称：カメラモジュール及びその組立方法）の優先権を主張し、その内容は全て参照により本出願に組み込まれる。
【０００２】
本発明は、カメラの技術分野に属し、特にカメラモジュール及びその組立方法に関する。
【背景技術】
【０００３】
市販されているカメラモジュールは、一般的にレンズ、レンズベース及びセンサアセンブリを含む。カメラモジュールの組立過程において、如何にこれらの部材を良好に組み立てるかは当業者の来研究の方向となっている。
【発明の概要】
【０００４】
本発明の主な目的は、レンズとレンズベースの接続、及びレンズベースとセンサアセンブリの接続が緩くなる恐れがあるという問題を解決し、モジュールの組立を容易にするために、カメラモジュールを提供することである。
【０００５】
本発明の別の目的は、レンズベースを取付基準とする際に、レンズの光軸のレンズベースの位置決め基準に対する位置度に対して要求が高いという問題を解決するために、カメラモジュールの組立方法を提供することである。
【０００６】
上記目的を達成するために、本発明は以下の技術手段を採用する。
【０００７】
第１態様では、本発明の実施例は、カメラモジュールを提供する。カメラモジュールは、レンズベース、レンズ、センサアセンブリ及び緩み止めネジを含み、レンズベースは、互いに対向する第１表面と第２表面を含み、レンズベースは、レンズ取付孔を構成する内周壁をさらに含み、レンズ取付孔は、第１表面から第２表面まで貫通し、レンズ取付孔は、レンズを取り付けるために用いられ、レンズベースには、緩み止めネジを取り付けるためのネジ孔が形成され、レンズベースは、支持台、位置決め案内筒及び雌ネジをさらに含み、支持台、位置決め案内筒及び雌ネジは、内周壁に形成されるとともに、順に第１表面に沿って第２表面の方向に向かって設けられ、支持台は、第１表面から第２表面に向かって凹んで形成され、レンズは、外周壁、雄ネジ、位置決め案内段差及び位置規制リングを含み、雄ネジ、位置決め案内段差及び位置規制リングは、いずれも外周壁に設けられ、雄ネジは雌ネジに螺合され、位置決め案内段差は、位置決め案内筒に取り付けられ、位置規制リングは、支持台に取り付けられ、センサアセンブリは、第２表面に密接して取り付けられ、緩み止めネジは、レンズをレンズベースに固定して取り付け、レンズベースとセンサアセンブリを固定するためのものである。
【０００８】
第２態様では、本発明の実施例は、カメラモジュールの組立方法を提供する。この組立方法は、以下のステップを含む。
（１）レンズベースを提供し、レンズベースは、互いに背向する第１表面と第２表面を含み、レンズベースは、レンズ取付孔を構成する内周壁をさらに含み、レンズ取付孔は、第１表面から第２表面まで貫通し、レンズベースにはネジ孔が形成され、レンズベースは、支持台、位置決め案内筒及び雌ネジをさらに含み、支持台、位置決め案内筒及び雌ネジは、内周壁に形成されるとともに、順に第１表面に沿って第２表面の方向に向かって設けられ、支持台は、第１表面から第２表面に向かって凹んで形成され、
（２）レンズを提供し、レンズは、外周壁、雄ネジ、位置決め案内段差及び位置規制リングを含み、雄ネジ、位置決め案内段差及び位置規制リングは、いずれも外周壁に設けられ、位置決め案内段差は、雄ネジと位置規制リングとの間に位置し、位置規制リングは、第３表面及び第４表面を含み、第３表面は、位置決め案内段差に向かい、第４表面と背向し、
（３）レンズを位置決め案内筒を通してレンズ取付孔にねじ込み、雄ネジと雌ネジとを螺合して締め付け、位置規制リングの第３表面が支持台に当接すると、レンズとレンズベースは軸方向において締め付けられ、
（４）第１緩み止めネジを提供し、第１緩み止めネジをレンズベースのネジ孔内にねじ込み、第１緩み止めネジが位置規制リングの第４表面に押圧して当接すると、レンズとレンズベースとは固定して接続され、
（５）イメージセンサ及び回路基板を提供し、イメージセンサを回路基板の表面に密接して取り付け、センサアセンブリの組立を実現し、
（６）イメージセンサがレンズ取付孔に収容されるように、センサアセンブリをレンズベースの第２表面に設け、接着剤を充填し、センサアセンブリの位置を調整し、レンズの焦点とイメージセンサの中心とを一致させ、レンズの光軸とイメージセンサの中心法線とを一致させ、
（７）レンズベースとセンサアセンブリとの間の接着剤をベークして硬化させ、
（８）第２緩み止めネジを提供し、第２緩み止めネジをセンサアセンブリに通過させ、レンズベースのネジ孔内にねじ込み、第２緩み止めネジとセンサアセンブリとの間に接着媒体を充填して弾性接続を形成し、第２緩み止めネジによりセンサアセンブリをレンズベースにロックし、カメラモジュールの組立を完成させる。
【０００９】
本発明に係るカメラモジュール及びその組立方法は、少なくとも以下の利点を有する。
（１）従来技術では、カメラモジュールの各部品間の組立は回路基板の表面を基準とするのに対し、本発明では、レンズベースを基準として組み立てる。これによって、イメージセンサを回路基板に取り付けるときの平坦度、中心度などに対する要求が低下し、組立が容易になり、生産加工に便利である。
（２）本発明では、緩み止めネジを使用することにより、振動や高温などの原因により接着剤の効力がなくなる問題が効果的に回避され、レンズとレンズベース、レンズベースとセンサアセンブリの接続堅固性が保証され、後日の手直し、メンテナンスなどに便利である。
（３）本発明に係るカメラモジュールの組立方法において、まずレンズとレンズベースを組み立てることにより、レンズの光軸がレンズベースの位置決め柱の基準位置に対して統一することが保証され、カメラモジュールと完成品設備を取り付けるときの統一性が保証される。
（４）本発明に係るカメラモジュールの組立方法によれば、イメージセンサの中心法線とレンズの光軸との同軸度が効果的に向上し、レンズの光軸とイメージセンサの中心法線とが一致し、カメラモジュールの良品率が向上する。
【図面の簡単な説明】
【００１０】
【図１】本発明の実施例に係るカメラモジュールの分解模式図である。
【図２】本発明の実施例に係るカメラモジュールのレンズの構造模式図である。
【図３】本発明の実施例に係るカメラモジュールのレンズベースの断面模式図である。
【図４】本発明の実施例に係るカメラモジュールのセンサアセンブリの構造模式図である。
【図５】本発明の実施例に係るカメラモジュールの断面模式図である。
【図６】本発明の実施例に係るカメラモジュールの構造模式図である。
【図７】本発明の実施例に係る完成品設備の構造模式図である。
【符号の説明】
【００１１】
カメラモジュール１０、レンズ１００、位置規制リング１０１、位置決め案内段差１０２、雄ネジ１０３、第３表面１０４、第４表面１０５、外周壁１０６、レンズベース２００、位置決め柱２０１、第１ネジ孔２０２、支持台２０３、位置決め案内筒２０４、雌ネジ２０５、第２ネジ孔２０６、第１表面２０７、第２表面２０８、環状ボス２０９、内周壁２１０、センサアセンブリ３００、イメージセンサ３０１、貫通孔３０２、回路基板３０３、第１緩み止めネジ４００、第２緩み止めネジ５００、完成品設備６００、ハウジング７００。
【発明を実施するための形態】
【００１２】
本発明をより分かりやすくするために、以下、添付する図面を参照しながら本発明をより全面的に説明する。図面には、本発明の複数の実施例が示される。ただし、本発明は、様々な態様で実現することができ、本願明細書に挙げられる実施例に限定されない。これらの実施例は、本発明の開示内容をより明確にするためのものに過ぎない。
【００１３】
特に定義しない限り、本明細書で使用される全ての技術及び科学用語は、当業者に通常理解されている意味と同じである。本明細書で使用される用語は、具体的に実施例を説明するためのものだけで、本発明を制限しない。本明細書で使用される用語「及び／又は」は、列挙される１つ又は複数の関連事項の任意及び全ての組み合わせを含む。
【００１４】
市販されているカメラモジュールは、一般的にレンズ、レンズベース及びセンサアセンブリを含む。如何に光学性能の要求及び機械的組立の位置関係を保証しながらこれらの部材を良好に組み立てるかは、当業者の研究方向となっている。従来技術の組立方式は、まずイメージセンサを表面実装技術（Ｓｕｒｆａｃｅ  Ｍｏｕｎｔｅｄ  Ｔｅｃｈｎｏｌｏｇｙ，ＳＭＴ）により回路基板に貼り付け、そしてレンズベース及びセンサアセンブリを接着剤により接続し、レンズとレンズベースをネジにより接続し、さらに自動焦点調節技術によりレンズ位置を微調整してレンズの焦点とイメージセンサの中心とを一致させ、自動中心調節技術によりレンズ光軸とイメージセンサの中心法線とを一致させることである。
【００１５】
しかしながら、本発明者は、研究したところ、上記組立方式には多くの不足が存在することを発見した。まず、レンズベースとセンサアセンブリ、レンズはいずれも接着剤により固定される方法では、接着剤の接着強度に完全に依存するので、センサアセンブリが脱落しやすい恐れがある。カメラモジュールを組み立てる過程において、塗布された接着剤は処理されないため、他の部材と摩擦して屑が落ちやすいことで、イメージセンサなどのデバイスを汚染し、結像品質に影響する場合がある。また、接着剤塗布は困難であり、接着剤は制御されにくい。
【００１６】
さらに、回路基板は、温度変化により変形し反りやすいことで平坦度が低く、かつイメージセンサには本体公差及びＳＭＴのパット公差が存在するため、回路基板に取り付けられるイメージセンサの位置の一致性が低い。レンズの焦点がイメージセンサの中心に落ちるとともに、レンズの光軸とイメージセンサの中心法線とが一致することを保証するために、自動焦点調節技術及び自動中心調節技術によりレンズを調整する必要がある。そうすると、レンズの光軸の、レンズベースの位置決め柱に対する基準が一致しないことを引き起こし、バッチで生産されるカメラモジュールが歪んで整合しないという問題が発生する。これによって、ユーザが取り付ける際にレンズベースの位置決め柱を基準とするため、モジュールを完成品設備に取り付けた後、光学性能が良くないという問題が発生する。
【００１７】
そのため、レンズの光軸とレンズベース基準及びイメージセンサの中心法線との相対位置精度が高いカメラモジュール構造を設計し、レンズとレンズベース及びセンサアセンブリとの結合強度を向上させ、取付に便利で、脱落しにくく、イメージセンサなどのデバイスを汚染して結像品質を影響するカメラモジュールの組立方法を最適化する必要がある。
【００１８】
図１は、本発明の実施例に係るカメラモジュール１０の分解模式図である。特殊な位置決め要求を有するカメラモジュールは、レンズの光軸がイメージセンサの法線と一致し、位置決め基準に対するサイズ要求を満たす必要がある。
【００１９】
具体的には、本実施例において、カメラモジュール１０は、レンズ１００、レンズベース２００、センサアセンブリ３００及び緩み止めネジを含む。レンズベース２００にはレンズ１００が取り付けられる。センサアセンブリ３００は、レンズベース２００に密接して取り付けられる。緩み止めネジは、レンズ１００をレンズベース２００に取り付け、レンズベース２００とセンサアセンブリ３００とを固定するものである。
【００２０】
具体的には、本実施例において、図２は、本発明の実施例に係るレンズ１００の構造模式図である。レンズ１００は、外周壁１０６、雄ネジ１０３、位置決め案内段差１０２及び位置規制リング１０１を含む。雄ネジ１０３、位置決め案内段差１０２及び位置規制リング１０１は、いずれも外周壁１０６に設けられる。雄ネジ１０３、位置決め案内段差１０２及び位置規制リング１０１は、いずれもレンズ１００の外側面に設けられる。位置決め案内段差１０２は、雄ネジ１０３と位置規制リング１０１との間に位置する。位置規制リング１０１は、レンズ１００のほぼ中部に設けられる。位置規制リング１０１は、位置決め案内段差１０２から外へ突出する。位置規制リング１０１は、互いに背向する第３表面１０４と第４表面１０５を含む。雄ネジ１０３は、レンズ１００の外側面の一端から位置決め案内段差１０２の方向に向かって延伸する。本明細書の実施例において、例えば、「中部」などの方位に関する用語は、図面中の構造間の相対位置を参考基準とするものである。
【００２１】
本実施例では、位置決め案内段差１０２を設けることにより、レンズがレンズベース２００のレンズ取付孔にスムーズにねじ込まれることが保証される。本実施例では、位置決め案内段差１０２から外へ突出する位置規制リング１０１を設けることにより、レンズ１００がレンズベース２００にねじ込まれた後に適切な位置に停止することが保証され、バッチ製品レンズのバックフォーカスのサイズが一致しないことが回避される。
【００２２】
具体的には、本実施例において、図３は、本発明の実施例に係るレンズベース２００の断面模式図である。レンズベース２００は、互いに背向する第１表面２０７と第２表面２０８を含む。レンズベース２００は、内周壁２１０をさらに含む。内周壁２１０はレンズ取付孔を構成する。レンズ取付孔は、第１表面２０７から第２表面２０８まで貫通する。レンズベース２００にはネジ孔が形成され、ネジ孔に緩み止めネジが取り付けられる。ネジ孔は、第１ネジ孔２０２及び第２ネジ孔２０６を含む。第１ネジ孔２０２は、第１表面２０７に形成され、第１ネジ孔２０２とレンズ取付孔は重なり合う。第１ネジ孔２０２の数は、２以上であり、実施例において、第１ネジ孔２０２の数は２つである。２つの第１ネジ孔２０２は、レンズ取付孔の周りに設けられる。第２ネジ孔２０６は、第２表面２０８に形成される。第２ネジ孔２０６とレンズ取付孔の間に間隔が空けられる。第２ネジ孔２０６の数は１以上であるが、本実施例において、第２ネジ孔２０６の数は３つである。３つの第２ネジ孔２０６は、レンズ取付孔の周りに設けられる。
【００２３】
レンズベース２００は、支持台２０３、位置決め案内筒２０４及び雌ネジ２０５をさらに含む。支持台２０３、位置決め案内筒２０４及び雌ネジ２０５は、内周壁２１０に形成され、順に第１表面２０７に沿って第２表面２０８の方向に向かって設けられる。支持台２０３は、第１表面２０７から第２表面２０８へ凹んで形成される。支持台２０３が位置規制リング１０１（図２）の第３表面１０４に当接することにより、レンズ１００がレンズベース２００にねじ込まれた後に適切な位置に停止することが保証される。位置決め案内筒２０４とレンズ１００の位置決め案内段差１０２は嵌合して取り付けられる。位置決め案内筒２０４と位置決め案内段差１０２の過渡的な嵌合により、レンズ１００のねじ込みはスムーズに案内される。これによって、レンズ１００とレンズベース２００の取り付けはより容易になり、取り付け時の位置決めが正確であることが効果的に保証される。雌ネジ２０５は、レンズ１００の雄ネジ１０３に螺合される。レンズ１００の雄ネジ１０３がねじ込まれた後、雄ネジ１０３と雌ネジ２０５は隙間嵌めされることにより、緊密な接続が達成される。また、レンズベース２００は、環状ボス２０９をさらに含む。環状ボス２０９は、位置決め案内筒２０４に接続され、レンズ取付孔の一部を構成する。雌ネジ２０５は、環状ボス２０９に設けられる。
【００２４】
具体的には、本実施例において、図１に示すように、緩み止めネジは、第１緩み止めネジ４００及び第２緩み止めネジ５００を含む。第１緩み止めネジ４００は、第１ネジ孔２０２に取り付けられる。第１緩み止めネジ４００は、位置規制リング１０１の第４表面１０５を押圧して当接することによりレンズ１００とレンズベース２００とを締め付ける。第２緩み止めネジ５００は、第２ネジ孔２０６に取り付けられる。第２緩み止めネジ５００は、センサアセンブリ３００とレンズベース２００を締め付けるために用いられる。レンズ１００とレンズベース２００の接続をより堅固にするために、第１緩み止めネジ４００（図１）は、対称的に２つ設けられる。他の実施形態において、第１緩み止めネジ４００は複数設けられてもよいが、少なくとも２つである。第１緩み止めネジ４００のネジ山には落下防止接着剤が設けられ、頂部のナットが比較的大きく、第１ネジ孔２０２との接合によりレンズ１００をしっかりと押し付ける目的を達成する。第１緩み止めネジ４００を設けることにより、レンズ１００が軸方向に移動可能な空間がないことが保証され、レンズ１００とレンズベース２００の接続の安定性が向上し、後日の手直し、メンテナンスなどに便利である。
【００２５】
具体的には、本実施例において、図１に示すように、レンズベース２００には位置決め柱２０１がさらに設けられる。位置決め柱２０１は、円柱状であり、数が２つである。２つの位置決め柱２０１は、それぞれレンズ取付孔の両側に位置し、完成品設備との取り付けに使用される。この完成品設備は、携帯電話、タブレットなどの通信設備であってもよく、車載カメラ、監視カメラ、ドローンに搭載されたカメラモジュールであってもよい。カメラモジュール１０は、位置決め柱２０１により完成品設備に取り付けられ、完成品設備の撮影機能を達成する。
【００２６】
具体的には、本実施例において、レンズベース２００は金属材料で作製される。理解され得るように、製造選択にあたっては、質量が角く、価格が適切で、弾性ひずみと塑性ひずみに優れた材料、例えば、アルミニウム合金などを選択することができる。
【００２７】
具体的には、本実施例において、図４は、本発明の実施例に係るセンサアセンブリ３００の構造模式図である。センサアセンブリ３００は、イメージセンサ３０１と回路基板３０３とを密接して取り付けることにより形成され、第２ネジ孔２０６（図３）に対応して設けられる貫通孔３０２が形成される。レンズベース２００とセンサアセンブリ３００をより良好に固定するために、第２緩み止めネジ５００（図１）は３つ設けられてもよい。他の実施形態において、第２緩み止めネジ５００は、少なくとも１つ設けられてもよい。第２ネジ孔２０６、貫通孔３０２と第２緩み止めネジ５００とを対応して設けることにより、第２緩み止めネジ５００は、センサアセンブリ３００の貫通孔３０２を通過してレンズベース２００の第２ネジ孔２０６に螺合して固定される。さらに、第２緩み止めネジ５００とセンサアセンブリ３００との間に接着媒体を充填して弾性接続を形成することができる。接着媒体はＡＡ接着剤（Ａｒｏｎ  Ａｌｐｈａ）、熱硬化性接着剤（例えば、ＵＶ熱硬化性接着剤）、エポキシ樹脂接着剤、感圧接着剤、光硬化性接着剤（例えば、ＵＶ接着剤）のうちの１種又は複数種の組み合わせであってもよい。第２緩み止めネジ５００を設けることにより、レンズベース２００とセンサアセンブリ３００との密接は振動、浸水、高温などの原因により接着効果を失うという問題が効果的に回避され、レンズベース２００とセンサアセンブリ３００の接続の安定性が向上する。
【００２８】
図７に示すように、本発明の実施例は、上記いずれかの実施例に係るカメラモジュール１０を含む完成品設備６００をさらに提供する。
【００２９】
具体的には、完成品設備６００は、携帯電話、タブレット、カメラ、ウェアラブルデバイスなどの電子機器であってもよく、車載カメラ、監視カメラ、ドローンなどの設備に搭載されたカメラモジュールであってもよい。本発明の実施例に係る完成品設備６００は、レンズベース２００を基準として取り付けることにより、イメージセンサ３０１を回路基板３０３に取り付けるときの平坦度、中心度などに対する要求が低下し、組立が容易になり、生産加工に便利である。緩み止めネジを使用することにより、振動や高温などの原因により接着剤の効力がなくなる問題が効果的に回避され、レンズ１００とレンズベース２００、レンズベース２００とセンサアセンブリ３００の接続堅固性が保証され、後続の手直し、メンテナンスなどに便利であるとともに、イメージセンサ３０１の中心法線とレンズ１００の光軸との同軸度が向上し、レンズ１００の光軸とイメージセンサ３０１の中心法線が一致し、カメラモジュール１０の良品率が向上する。
【００３０】
完成品設備６００は、ハウジング７００をさらに含んでもよい。カメラモジュール１０は、ハウジング７００に設けられる。これによって、カメラモジュール１０がハウジング７００に支持され得るため、ユーザの手持ち操作は容易になる。
【００３１】
図５に示すように、本発明の実施例に係るカメラモジュール１０の組立方法は以下の通りである。
（１）レンズベース２００（図３）を提供する。レンズベース２００は、互いに背向する第１表面２０７と第２表面２０８を含む。レンズベース２００は、内周壁２１０をさらに含む。レンズ取付孔は内周壁２１０によって限定して形成される。レンズ取付孔は、第１表面２０７から第２表面２０８まで貫通する。レンズベース２００にはネジ孔が形成される。レンズベース２００は、支持台２０３、位置決め案内筒２０４及び雌ネジ２０５をさらに含む。支持台２０３、位置決め案内筒２０４及び雌ネジ２０５は、内周壁２１０に形成されるとともに、順に第１表面２０７に沿って第２表面２０８の方向に向かって配置される。支持台２０３は、第１表面２０７から第２表面２０８に向かって凹んで形成される。
（２）レンズ１００（図２）を提供する。レンズ１００は、外周壁１０６、雄ネジ１０３、位置決め案内段差１０２及び位置規制リング１０１を含む。雄ネジ１０３、位置決め案内段差１０２及び位置規制リング１０１は、いずれも外周壁１０６に設けられる。位置決め案内段差１０２は、雄ネジ１０３と位置規制リング１０１との間に位置する。位置規制リング１０１は、第３表面１０４及び第４表面１０５を含む。第３表面１０４は、位置決め案内段差１０２に向かい、第４表面１０５に背向する。
（３）レンズ１００を位置決め案内筒２０４を通してレンズ取付孔にねじ込み、雄ネジ１０３と雌ネジ２０５を螺合して締め付ける。位置規制リング１０１の第３表面１０４が支持台２０３に当接すると、レンズ１００とレンズベース２００は軸方向において締め付けられる。
（４）第１緩み止めネジ４００（図１）を提供する。第１緩み止めネジ４００をレンズベース２００のネジ孔内にねじ込む。第１緩み止めネジ４００が位置規制リング１０１の第４表面１０５に押圧して当接すると、レンズ１００とレンズベース２００は固定して接続される。
（５）イメージセンサ３０１（図４）及び回路基板３０３を提供する。イメージセンサ３０１を回路基板３０３の表面に密接して取り付けることにより、センサアセンブリ３００の組立を実現する。
（６）イメージセンサ３０１がレンズ取付孔に収容されるように、センサアセンブリ３００をレンズベース２００の第２表面２０８に設け、接着剤を充填する。自動焦点調節技術及び自動中心調節技術により、センサアセンブリ３００の位置を調整し、レンズ１００の焦点とイメージセンサ３０１の中心を一致させ、レンズ１００の光軸とイメージセンサ３０１の中心法線を一致させる。
（７）レンズベース２００とセンサアセンブリ３００の間の接着剤をベークして硬化させる。
（８）第２緩み止めネジ５００（図１）を提供する。第２緩み止めネジ５００をセンサアセンブリ３００に通過させ、レンズベース２００のネジ孔内にねじ込む。第２緩み止めネジ５００とセンサアセンブリ３００との間に接着媒体を充填して弾性接続を形成する。第２緩み止めネジ５００によりセンサアセンブリ３００をレンズベース２００にロックし、カメラモジュール１０の組立を完成させる。
【００３２】
具体的には、図５は、本発明の実施例に係るカメラモジュール１０が組み立てられた後の断面模式図である。組立際に、まず、レンズベース２００を位置決め治具に置き、レンズベース２００を位置決めし、レンズ１００をレンズベース２００のレンズ取付孔にねじ込み、そして、ドライバーで第１緩み止めネジ４００をレンズベース２００のネジ孔にねじ込む。ネジ孔は、第１表面２０７に形成される第１ネジ孔２０２を含む。このように、第１緩み止めネジ４００を第１ネジ孔２０２に取り付け、第１緩み止めネジ４００の締付力によりレンズ１００をレンズベース２００内に固定し、レンズ１００とレンズベース２００の堅固な接続を達成する。
【００３３】
レンズ１００とレンズベース２００が組み立てられた後、レンズ１００の光軸中心は、両側の位置決め柱２０１に対して位置決め基準のサイズ要求を満たすことができる。センサアセンブリ３００をレンズベース２００の第２表面２０８に設け、接着剤を充填し、自動焦点調節技術及び自動中心調節技術によりセンサアセンブリ３００を適切な位置に調整し、レンズ１００の焦点とイメージセンサ３０１の中心とを一致させるとともに、レンズ１００の光軸とイメージセンサ３０１の中心法線とを一致させる。そして、硬化接着剤を用いてセンサアセンブリ３００をレンズベース２００の第２表面２０８に密接して取り付ける。熱硬化接着剤が効力がなくなる恐れがあるため、第２緩み止めネジ５００を増設し、第２緩み止めネジ５００をレンズベース２００のネジ孔にねじ込む。ネジ孔は、第２表面２０８に形成される第２ネジ孔２０６を含む。このように、第２緩み止めネジ５００を第２ネジ孔２０６に取り付けることにより、センサアセンブリ３００をレンズベース２００の第２表面２０８に堅固にロックする。第２緩み止めネジ５００とセンサアセンブリ３００との間に接着媒体を充填して弾性接続を形成することにより、特殊な位置決め要求が満たされるカメラモジュール１０が組み立てられる目的が達成される。接着媒体はＡＡ接着剤（Ａｒｏｎ  Ａｌｐｈａ）、熱硬化性接着剤（例えば、ＵＶ熱硬化性接着剤）、エポキシ樹脂接着剤、感圧接着剤、光硬化性接着剤（例えば、ＵＶ接着剤）のうちの１種又は複数種の組み合わせである。
【００３４】
具体的には、図６は、本発明の実施例に係るカメラモジュール１０が取り付けられた後の構造模式図である。上記方法によりカメラモジュール１０を組み立てる際に、まず、レンズ１００とレンズベース２００を固定することにより、レンズ１００の光軸をレンズベース２００の位置決め柱２０１の基準位置と統一し、そして、レンズベース２００を基準としてセンサアセンブリ３００を適切な位置に調整し、レンズベース２００の第２表面２０８に固定することにより、レンズ１００の光軸とイメージセンサ３０１の中心法線とが一致することが保証され、位置決め基準に対するサイズ要求が満たされ、カメラモジュール１０を完成品設備の取り付けに使用するときの統一性が保証される。
【００３５】
本発明に係るカメラモジュール１０、完成品設備６００及びカメラモジュール１０の組立方法は、少なくとも以下の利点を有する。
（１）従来技術では、カメラモジュールの各部品間の組立は回路基板の表面を基準とするのに対し、本発明では、レンズベース２００を基準として組み立てる。これによって、イメージセンサ３０１を回路基板３０３に取り付けるときの平坦度、中心度などに対する要求が低下し、組立が容易になり、生産加工に便利である。
（２）本発明では、緩み止めネジを使用することにより、振動や高温などの原因により接着剤の効力がなくなる問題が効果的に回避され、レンズ１００とレンズベース２００、レンズベース２００とセンサアセンブリ３００の接続堅固性が保証され、後続の手直し、メンテナンスなどに便利である。
（３）本発明に係るカメラモジュール１０の組立方法において、まずレンズ１００とレンズベース２００を組み立てることにより、レンズ１００の光軸がレンズベース２００の位置決め柱２０１の基準位置に対して統一することが保証され、カメラモジュール１０と完成品設備を取り付けるときの統一性が保証される。
（４）本発明に係るカメラモジュール１０の組立方法によれば、イメージセンサ３０１の中心法線とレンズ１００の光軸との同軸度が効果的に向上し、レンズ１００の光軸とイメージセンサ３０１の中心法線とが一致し、カメラモジュール１０の良品率が向上する。
【００３６】
以上の実施例により本発明の実施形態を具体的で詳しく説明したが、本発明の保護範囲はこれらの実施例に限定されない。本発明の思想から逸脱しない限り、当業者は様々な変形及び改良を行うことができ、これらの変形及び改良はいずれも本発明の保護範囲に含まれる。従って、本発明の保護範囲は、添付する特許請求の範囲に準ずるべきである。
【図１】
2021536042.tif 000003
【図２】
2021536042.tif 000004
【図３】
2021536042.tif 000005
【図４】
2021536042.tif 000006
【図５】
2021536042.tif 000007
【図６】
2021536042.tif 000008
【図７】
2021536042.tif 000009
【国際調査報告】
2021536042.tif 000010
2021536042.tif 000011
2021536042.tif 000012
2021536042.tif 000013